(57)【要約】【課題】複数の照明器具の点灯制御を簡易に行うことができる照明システムの制御方法等を提供する。【解決手段】照明システム１００の制御方法は、複数の照明器具１〜１２を点灯させるための情報を含む第１の点灯データＤ１および第２の点灯データＤ２を生成する第１ステップと、第１の点灯データＤ１よりも第２の点灯データＤ２を優先して、第１の点灯データＤ１と第２の点灯データＤ２とを合成することで、合成された点灯データＤ３を生成する第２ステップと、合成された点灯データＤ３を照明コントローラ５０に記憶させる第３ステップと、照明コントローラ５０が、第３ステップにて記憶された点灯データＤ３に基づいて、複数の照明器具１〜１２を点灯制御する第４ステップと、を含む。【選択図】図３
2019145333.tif 000002
【特許請求の範囲】
【請求項１】
複数の照明器具と、前記複数の照明器具を点灯制御する照明コントローラとを備える照明システムの制御方法であって、
前記複数の照明器具を点灯させるための情報を含む第１の点灯データ、および、前記複数の照明器具を点灯させるための情報であって前記第１の点灯データと異なる情報を含む第２の点灯データを生成する第１ステップと、
前記第１の点灯データよりも前記第２の点灯データを優先して、前記第１の点灯データと前記第２の点灯データとを合成することで、合成された点灯データを生成する第２ステップと、
前記合成された点灯データを前記照明コントローラに記憶させる第３ステップと、
前記照明コントローラが、前記第３ステップにて記憶された点灯データに基づいて、前記複数の照明器具を点灯制御する第４ステップと、
を含む照明システムの制御方法。
【請求項２】
前記第２の点灯データは、前記複数の照明器具のうちの一部の照明器具を点灯させるための情報を含み、
前記第２ステップにおいて、前記一部の照明器具に対応する前記第２の点灯データを、前記一部の照明器具に対応する前記第１の点灯データに上書きすることで、前記合成された点灯データを生成する
請求項１に記載の照明システムの制御方法。
【請求項３】
前記第１の点灯データ、前記第２の点灯データおよび前記合成された点灯データのそれぞれは、前記照明器具から出射される光の色、明るさ、および、前記光を出射する順番に関する情報を含む
請求項１または２に記載の照明システムの制御方法。
【請求項４】
前記第４ステップにおいて、前記照明コントローラは、前記合成された点灯データに基づく点灯を、前記光を出射する順番どおりに所定の時間間隔で前記複数の照明器具に実行させる
請求項３に記載の照明システムの制御方法。
【請求項５】
前記複数の照明器具のそれぞれは、複数の発光素子を有し、前記複数の発光素子の少なくとも１つから出射された光が合成されることで形成される無地の光を照射する
請求項１〜４のいずれか１項に記載の照明システムの制御方法。
【請求項６】
前記照明システムは、さらに、前記第１の点灯データ、前記第２の点灯データおよび前記合成された点灯データを生成するデータ生成装置を備え、
前記データ生成装置は、前記第１ステップおよび前記第２ステップを実行する
請求項１〜５のいずれか１項に記載の照明システムの制御方法。
【請求項７】
複数の照明器具と、前記複数の照明器具を点灯制御する照明コントローラとを備える照明システムであって、
前記照明コントローラは、
前記複数の照明器具を点灯させるための情報を含む第１の点灯データ、および、前記複数の照明器具を点灯させるための情報であって前記第１の点灯データと異なる情報を含む第２の点灯データを、前記第１の点灯データよりも前記第２の点灯データを優先して合成することで生成された点灯データを記憶する記憶部と、
前記記憶部に記憶された当該点灯データに基づいて、前記複数の照明器具を点灯制御する点灯制御部と、を備える
照明システム。
【発明の詳細な説明】
【技術分野】
【０００１】
本発明は、複数の照明器具を点灯制御する照明システムの制御方法、および、照明システムに関する。
【背景技術】
【０００２】
従来、空間内に配置された物体に光を投影する照明装置が知られている。この種の照明装置の一つとして特許文献１には、複数の光データを描画処理することで描画データを生成し、この描画データに基づいて光を投影する照明装置が開示されている。この照明装置では、複数の光データのレイヤの優先順位に応じて描画処理が行われ、描画データが生成されている。
【先行技術文献】
【特許文献】
【０００３】
【特許文献１】特開２０１６−９１６６号公報
【発明の概要】
【発明が解決しようとする課題】
【０００４】
しかしながら、特許文献１に開示されている照明装置では、１つの照明装置にて上記優先順位に応じた描画処理が行われている。そのため、例えば複数の照明装置を用いて光の演出を行う場合、複数の照明装置のそれぞれにて上記優先順位に応じた描画処理を行わなければならず、複数の照明器具を備える照明システムにおいて描画処理の負担が大きくなるという問題がある。
【０００５】
そこで、本発明は、複数の照明器具の点灯制御を簡易に行うことができる照明システムの制御方法等を提供する。
【課題を解決するための手段】
【０００６】
本発明の照明システムの制御方法の一態様は、複数の照明器具と、前記複数の照明器具を点灯制御する照明コントローラとを備える照明システムの制御方法であって、前記複数の照明器具を点灯させるための情報を含む第１の点灯データ、および、前記複数の照明器具を点灯させるための情報であって前記第１の点灯データと異なる情報を含む第２の点灯データを生成する第１ステップと、前記第１の点灯データよりも前記第２の点灯データを優先して、前記第１の点灯データと前記第２の点灯データとを合成することで、合成された点灯データを生成する第２ステップと、前記合成された点灯データを前記照明コントローラに記憶させる第３ステップと、前記照明コントローラが、前記第３ステップにて記憶された点灯データに基づいて、前記複数の照明器具を点灯制御する第４ステップと、を含む。
【０００７】
また、本発明の照明システムの一態様は、複数の照明器具と、前記複数の照明器具を点灯制御する照明コントローラとを備える照明システムであって、前記照明コントローラは、前記複数の照明器具を点灯させるための情報を含む第１の点灯データ、および、前記複数の照明器具を点灯させるための情報であって前記第１の点灯データと異なる情報を含む第２の点灯データを、前記第１の点灯データよりも前記第２の点灯データを優先して合成することで生成された点灯データを記憶する記憶部と、前記記憶部に記憶された当該点灯データに基づいて、前記複数の照明器具を点灯制御する点灯制御部と、を備える。
【発明の効果】
【０００８】
本発明の照明システムの制御方法によれば、複数の照明器具の点灯制御を簡易に行うことができる。また、本発明の照明システムによれば、複数の照明器具の点灯制御を簡易に行うことができる。
【図面の簡単な説明】
【０００９】
【図１Ａ】実施の形態に係る照明システム、ならびに、照明システムを構成する照明器具、照明コントローラおよびデータ生成装置を示す概略図である。
【図１Ｂ】実施の形態における照明器具を示す概略図である。
【図２】実施の形態に係る照明システムを示すブロック構成図である。
【図３】実施の形態に係る照明システムの制御方法を示すフローチャートである。
【図４】実施の形態のデータ生成装置に表示される表示画像を示す図であって、（ａ）は第１の点灯データに基づいて、（ｂ）は第２の点灯データに基づいて、（ｃ）は合成された点灯データに基づいて表示される表示画像を示す図である。
【図５】図４の第１の点灯データ、第２の点灯データ、合成された点灯データのデータ構造を概念的に示す図である。
【図６】実施の形態のデータ生成装置に表示される表示画像を示す図であって、合成された点灯データに基づいて表示される表示画像の（ａ）変化前、（ｂ）変化後を示す図である。
【図７】図６に示す合成された点灯データのデータ構造を概念的に示す図である。
【図８】実施の形態に係る照明システムを用いて被照射体に照射される照射画像を示す図であって、合成された点灯データに基づいて照射される照射画像の（ａ）変化前、（ｂ）変化後を示す図である。
【図９】実施の形態における第１の点灯データのデータテーブルの一例を示す図である。
【図１０】実施の形態における第２の点灯データのデータテーブルの一例を示す図である。
【図１１】実施の形態において、合成された点灯データを生成する前のデータテーブルを示す図である。
【図１２】実施の形態に係る照明システムの制御方法において、合成された点灯データを生成するフローを示す図である。
【図１３】実施の形態において、合成された点灯データを生成する途中のデータテーブルを示す図である。
【図１４】実施の形態において、合成された点灯データを生成する途中のデータテーブルを示す図である。
【図１５】実施の形態において、合成された点灯データを生成した後のデータテーブルを示す図である。
【発明を実施するための形態】
【００１０】
（実施の形態）
本実施の形態に係る照明システムは、建物の壁、天井またはスクリーンなどの被照射体に複数の照明光を照射するシステムである。この照明システムは、例えば、青空などの動きが少ない画像を背景にして虹などを出没させて演出する場合、または、夕空などの動きが少ない画像を背景にして飛行機などの動きがある画像を映して演出する場合に用いられる。
【００１１】
以下、実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
［１．照明システムの構成］
本実施の形態に係る照明システム１００の構成について、図１Ａ〜図２を参照しながら説明する。
【００１４】
図１Ａは、照明システム１００、ならびに、照明システム１００を構成する照明器具１〜１２、照明コントローラ５０およびデータ生成装置３０を示す概略図である。図１Ｂは、照明器具１を示す概略図である。図２は、照明システム１００を示すブロック構成図である。なお、図１Ｂでは、照明器具１〜１２のうちの照明器具１を代表例に挙げて示している。
【００１５】
照明システム１００は、光を照射する複数の照明器具１、２、３、４、５、６、７、８、９、１０、１１、１２と、複数の照明器具１〜１２を点灯制御する照明コントローラ５０とを備えている。また、照明システム１００は、コンピュータ機器などのデータ生成装置３０を備えている。複数の照明器具１〜１２は、１２台に限られず、１００台以上配置されることがある。
【００１６】
各照明器具１〜１２は、複数の発光素子を有するＬＥＤ（Light  Emitting  Diode）投光器である。各照明器具１〜１２は、例えば３つの発光素子Ｌ１、Ｌ２、Ｌ３を有する。発光素子Ｌ１〜Ｌ３のそれぞれは、赤（Ｒ）、緑（Ｇ）または青（Ｂ）の光を出射する。
【００１７】
各照明器具１〜１２は、例えば、複数の発光素子Ｌ１〜Ｌ３から出射された光が合成されることで形成される無地の光を照射する。すなわち各照明器具１〜１２は、それぞれが独立した照明光を照射する。また、各照明器具１〜１２から照射される光は、スキャニング投光のように時分割されて出射される光ではなく、複数の発光素子Ｌ１〜Ｌ３から同時に出射された光が合成されることで形成される光である。
【００１８】
各照明器具１〜１２は、照明コントローラ５０に接続され、照明コントローラ５０から送信される点灯データ信号に基づいて調色制御および調光制御される。点灯データ信号は、例えばＤＭＸ（Digital  Multiple  X）規格に基づく信号であり、点灯データは、照明器具１〜１２を点灯させるための情報を含む。
【００１９】
各照明器具１〜１２から出射された光は、複数の照明器具１〜１２から離れて位置する被照射体２００に照射される。具体的には、照明器具１〜１２から出射された光は、被照射体２００に照射され、複数の照射セル画像１ｂ、２ｂ、３ｂ、４ｂ、５ｂ、６ｂ、７ｂ、８ｂ、９ｂ、１０ｂ、１１ｂ、１２ｂを形成する。被照射体２００に映し出される照射画像Ｂは、複数の照射セル画像１ｂ〜１２ｂを１組とするセル画像群によって形成される。照射画像Ｂの全体の面積は、例えば１００ｍ２以上１６００ｍ２以下である。
【００２０】
照明コントローラ５０は、複数の照明器具１〜１２を点灯制御するコントローラである。照明コントローラ５０は、データ入力部５１と、点灯制御部５２と、記憶部５３とを備えている。データ入力部５１および記憶部５３のそれぞれは、点灯制御部５２に接続されている。
【００２１】
データ入力部５１は、例えば、アンテナおよび無線モジュールなどによって構成され、無線通信でデータ生成装置３０と通信可能である。なお、データ入力部５１は、有線でデータ生成装置３０と通信可能であってもよい。また、データ入力部５１は、ＵＳＢメモリまたはメモリカードなどの記録媒体に記録された情報を読み出す装置であってもよい。データ入力部５１には、照明器具１〜１２を点灯制御するための点灯データとして、データ生成装置３０から転送された点灯データＤ３が入力される。
【００２２】
記憶部５３は、ＲＡＭ（Random  Access  Memory）およびＲＯＭ（Read  Only  Memory）などによって構成される。記憶部５３には、データ入力部５１に入力された点灯データＤ３が保存される。点灯データＤ３は、ＤＭＸ規格に基づくデータであり、点灯データＤ３には、照明器具１〜１２から出射される光の色、明るさ、および、光を出射する順番に関する情報が含まれている。
【００２３】
また、記憶部５３には、照明器具１〜１２を点灯させるためのスケジュール情報が記憶されている。スケジュール情報は、点灯データＤ３に基づく点灯を、点灯データＤ３に記入されている順番どおりに、所定の時間間隔で照明器具１〜１２に実行させるための情報である。例えば、１秒間に４０フレームの画像を被照射体２００に照射する場合、所定の時間間隔は２５ｍｓである。所定の時間間隔は、１０ｍｓ以上３０ｍｓ以下の範囲から適宜選択して設定される。
【００２４】
点灯制御部５２は、ＣＰＵ（Central  Processing  Unit）などによって構成さる。点灯制御部５２は、データ生成装置３０から転送された点灯データＤ３を、データ入力部５１を介して取得し、記憶部５３に記憶させる。点灯制御部５２は、記憶部５３に記憶された点灯データＤ３および上記スケジュール情報に基づいて、複数の照明器具１〜１２を点灯制御する。
【００２５】
データ生成装置３０は、第１の点灯データＤ１および第２の点灯データＤ２から、合成された点灯データＤ３を生成する装置である。データ生成装置３０は、入力部３１と制御部３２と記憶部３３と表示部３４とデータ出力部３５とを備えている。入力部３１、記憶部３３、表示部３４およびデータ出力部３５のそれぞれは、制御部３２に接続されている。
【００２６】
入力部３１は、例えばキーボードまたはマウスなどである。この入力部３１を用いて、第１の点灯データＤ１、および、第１の点灯データＤ１と異なる第２の点灯データＤ２を生成するための入力が行われる。
【００２７】
以下、第１の点灯データＤ１を点灯データＤ１と呼び、第２の点灯データＤ２を点灯データＤ２と呼ぶ場合がある。合成された点灯データＤ３は、前述した点灯データＤ３と同じデータを指している。
【００２８】
記憶部３３は、ＲＡＭおよびＲＯＭなどによって構成される。記憶部３３には、点灯データＤ３を生成するためのプログラムが保存されている。また、記憶部３３には、点灯データＤ３を生成するための元データである、点灯データＤ１、Ｄ２が保存される。また、記憶部３３には、各照明器具１〜１２の番号と、各照明器具１〜１２の座標（ｘ、ｙ）とが関連付けられたレイアウト情報が保存されている（図５参照）。照明器具１〜１２の点灯制御の設定を行うユーザは、このレイアウト情報を参照しながら、入力部３１を用いて点灯データＤ１、Ｄ２の入力を行う。
【００２９】
表示部３４は、ディスプレイまたはタッチパネルである。表示部３４は、記憶部３３に保存されたレイアウト情報、および、入力部３１によって入力された点灯データＤ１、Ｄ２に関する情報を表示する。また、表示部３４は、制御部３２によって生成された点灯データＤ３に関する情報を表示する。
【００３０】
制御部３２は、ＣＰＵなどによって構成される。制御部３２は、入力部３１によって入力された点灯データＤ１、Ｄ２を受け付け、記憶部３３に保存する。また、制御部３２は、記憶部３３に保存されているプログラムを用いて、点灯データＤ１、Ｄ２から点灯データＤ３を生成する。その際、制御部３２は、点灯データＤ１よりも点灯データＤ２を優先して、点灯データＤ１と点灯データＤ２とを合成することで、点灯データＤ３を生成する。
【００３１】
また、制御部３２は、点灯データＤ１〜Ｄ３に基づいて形成される表示画像Ａを表示部３４に表示させる（図４参照）。ユーザは、表示部３４に表示されている表示画像Ａを見ることで、点灯データＤ３の完成度、および、被照射体２００に照射される照射画像Ｂを模擬的に確認することができる。
【００３２】
データ出力部３５は、アンテナおよび無線モジュールなどによって構成され、無線通信で照明コントローラ５０と通信可能である。なお、データ出力部３５は、有線で照明コントローラ５０と通信可能であってもよい。また、データ出力部３５は、記録媒体に情報を書き込む装置であってもよい。
【００３３】
データ出力部３５は、照明器具１〜１２を点灯制御するための点灯データとして点灯データＤ３を出力する。データ出力部３５から出力された点灯データＤ３は、照明コントローラ５０に転送される。照明コントローラ５０は、この点灯データＤ３に基づいて照明器具１〜１２を点灯制御する。
【００３４】
［２．照明システムの制御方法］
次に、照明システム１００の制御方法について、図３〜図８を参照しながら説明する。図３は、照明システム１００の制御方法を示すフローチャートである。
【００３５】
照明システム１００の制御方法は、複数の照明器具１〜１２を点灯制御する方法であって、以下に示す第１ステップＳ１１、第２ステップＳ１２、第３ステップＳ１３および第４ステップＳ１４を含む。第１ステップＳ１１および第２ステップＳ１２は、例えば、データ生成装置３０にて実行される。第３ステップＳ１３および第４ステップＳ１４は、照明コントローラ５０にて実行される。
【００３６】
第１ステップＳ１１は、照明器具１〜１２を点灯させるための情報を含む点灯データＤ１および点灯データＤ２を生成するステップである。点灯データＤ１は、例えば全ての照明器具１〜１２を点灯させるための情報を含んでいる。点灯データＤ２は、例えば照明器具１〜１２のうちの一部の照明器具２、３、６、７、１０、１１を点灯させるための情報を含んでいる。各照明器具１〜１２を点灯させるための個々のデータの数は、点灯データＤ１よりも点灯データＤ２の方が少ない。
【００３７】
また、点灯データＤ１、Ｄ２のそれぞれには、階層の位置を示すレイヤ情報が含まれている。レイヤ情報は、点灯データＤ１よりも点灯データＤ２が上層に位置するように設定されている。
【００３８】
第２ステップＳ１２は、点灯データＤ１と点灯データＤ２とを合成することで、合成された点灯データＤ３を生成するステップである。第２ステップＳ１２では、一部の照明器具２、３、６、７、１０、１１に対応する点灯データＤ２を、同じ一部の照明器具２、３、６、７、１０、１１に対応する点灯データＤ１に上書きすることで、点灯データＤ３が生成される。
【００３９】
第３ステップＳ１３は、点灯データＤ３を照明コントローラ５０に記憶させるステップである。具体的には、第２ステップＳ１２で生成された点灯データＤ３が、照明コントローラ５０に転送され、照明コントローラ５０の記憶部５３に保存される。
【００４０】
第４ステップＳ１４は、照明コントローラ５０が、第３ステップＳ１３にて記憶された点灯データＤ３に基づいて照明器具１〜１２を点灯制御するステップである。
【００４１】
ここで、点灯データＤ１、Ｄ２を合成して点灯データＤ３を生成する場面について、図４および図５を参照しながら概念的に説明する。なお、各点灯データＤ１〜Ｄ３には、色および明るさ等に関する情報が含まれているが、ここでは色に関する情報を例に挙げて説明する。
【００４２】
図４は、データ生成装置３０に表示される表示画像Ａを示す図であって、（ａ）は点灯データＤ１に基づいて、（ｂ）は点灯データＤ２に基づいて、（ｃ）は点灯データＤ３に基づいて表示される表示画像Ａを示す図である。図４の（ａ）〜（ｃ）の表示部３４には、照明器具１〜１２に１対１で対応する複数の表示セル画像１ａ、２ａ、３ａ、４ａ、５ａ、６ａ、７ａ、８ａ、９ａ、１０ａ、１１ａ、１２ａが示されている。図５は、図４の点灯データＤ１〜Ｄ３のデータ構造を概念的に示す図である。図５に示す各点灯データのＲＧＢは、各発光素子Ｌ１〜Ｌ３から出射される光の色を表している。
【００４３】
点灯データＤ１は、例えば、背景などの動きが少ない画像を表すためのデータの集合である。点灯データＤ１に基づいて表示される表示画像Ａは、図４の（ａ）に示すように、全ての表示セル画像１ａ〜１２ａが、ほぼ同じ色となっている。例えば図５では、点灯データＤ１に基づいて表示される色が、全ての表示セル画像１ａ〜１２ａが青色になる。
【００４４】
点灯データＤ２は、例えば、背景よりも前面に出して表現したい画像を表すためのデータの集合である。点灯データＤ２に基づいて表示される表示画像Ａは、図４の（ｂ）に示すように、表示セル画像２ａ、３ａ、６ａ、７ａ、１０ａ、１１ａの色が、点灯データＤ１に基づく色とは異なっている。例えば図５では、点灯データＤ２に基づいて表示される色は、表示セル画像２ａ、３ａ、６ａ、７ａ、１０ａ、１１ａが緑色になる。一方、他の表示セル画像１ａ、４ａ、５ａ、８ａ、９ａ、１２ａは、塗りつぶしなし、すなわち透光する状態となる。
【００４５】
点灯データＤ３は、点灯データＤ１およびＤ２が合成されることで生成されるデータの集合である。点灯データＤ３に基づいて表示される表示画像Ａは、図４の（ｃ）に示すように、複数の色が混在している。例えば図５では、表示セル画像２ａ、３ａ、６ａ、７ａ、１０ａ、１１ａが、点灯データＤ２に基づく緑色になり、他の表示セル画像１ａ、４ａ、５ａ、８ａ、９ａ、１２ａが、点灯データＤ１に基づく青色になる。
【００４６】
このように点灯データＤ３は、一部の照明器具に対応する点灯データＤ２を、同じ一部の照明器具に対応する点灯データＤ１に上書きすることで生成される。
【００４７】
次に、点灯データＤ３を用いて動画を生成する場面、および、点灯データＤ３を用いて被照射体２００に光を照射する場面について、図６および図７を参照しながら概念的に説明する。
【００４８】
図６は、データ生成装置３０に表示される表示画像Ａを示す図であって、点灯データＤ３に基づいて表示される表示画像Ａの（ａ）変化前、（ｂ）変化後を示す図である。図７は、図６に示す点灯データＤ３のデータ構造を概念的に示す図である。
【００４９】
図６の（ａ）に示す変化前の表示画像Ａは、前述した図４および図５に示す手順で生成される。点灯データＤ３に基づいて表示される表示画像Ａは、例えば図６の（ａ）では、表示セル画像２ａ、３ａ、６ａ、７ａ、１０ａ、１１ａが緑色になり、他の表示セル画像１ａ、４ａ、５ａ、８ａ、９ａ、１２ａが青色になる。
【００５０】
図６の（ｂ）に示す変化後の表示画像Ａは、図４および図５と同様の手順で生成される。点灯データＤ３に基づいて表示される表示画像Ａは、例えば図６の（ｂ）では、表示セル画像３ａ、４ａ、７ａ、８ａ、１１ａ、１２ａが緑色になり、他の表示セル画像１ａ、２ａ、４ａ、５ａ、９ａ、１０ａが青色になる。
【００５１】
このように点灯データＤ３を生成することで、点灯データＤ１に基づく表示画像Ａを背景とし、点灯データＤ２に基づく表示画像Ａを前面に出しかつ動きを有するように表現することができる。
【００５２】
図８は、照明システム１００を用いて被照射体２００に照射される照射画像Ｂを示す図であって、点灯データＤ３に基づいて照射される照射画像Ｂの（ａ）変化前、（ｂ）変化後を示す図である。
【００５３】
例えば図８の（ａ）では、照射画像Ｂのうち、照射セル画像２ｂ、３ｂ、６ｂ、７ｂ、１０ｂ、１１ｂが緑色となり、他の照射セル画像１ｂ、４ｂ、５ｂ、８ｂ、９ｂ、１２ｂが青色となる。また、図８の（ｂ）では、照射セル画像３ｂ、４ｂ、７ｂ、８ｂ、１１ｂ、１２ｂが緑色となり、他の照射セル画像１ｂ、２ｂ、４ｂ、５ｂ、９ｂ、１０ｂが、青色となる。
【００５４】
このように点灯データＤ３を用いて照明器具１〜１２を点灯制御することで、点灯データＤ１に基づく画像を背景とし、点灯データＤ２に基づく画像を前面に出しかつ動きを有するように演出することができる。
【００５５】
［３．点灯データの具体例］
次に、図９〜図１５を参照しながら、点灯データの具体例について説明する。
【００５６】
図９は、点灯データＤ１のデータテーブルの一例を示す図である。図１０は、点灯データＤ２のデータテーブルの一例を示す図である。なお、以下に示すデータテーブルでは、図５および図７で示した点灯データとは異なる点灯データが示されている。
【００５７】
図９および図１０に示すデータテーブルにおいて、セル内における数値は、各発光素子Ｌ１〜Ｌ３から出射される光の明るさのレベルを示している。出射される光は、２５６階調あり、セル内の数値が大きいほど明るい光が出射される。セル内における数値「０」は光が出射されないことを示し、セル内における「空欄」はデータが存在しないことを示している。
【００５８】
データテーブル内のフレームは、被照射体２００に映し出される複数コマの照射画像Ｂのうちの１コマの照射画像Ｂを表すデータ集合体である。本実施の形態では、１秒間に４０フレームの照射画像Ｂが被照射体２００に映し出される。
【００５９】
図９に示すように、点灯データＤ１には、全ての照明器具１〜１２および全フレームに対して、発光素子Ｌ１〜Ｌ３の色および明るさを示す数値が書き込まれている。図１０に示すように、点灯データＤ２には、照明器具１〜１２のうちの一部の照明器具（例えば照明器具２）に対して、色および明るさを示す数値が書き込まれている。
【００６０】
図１１は、点灯データＤ３を生成する前のデータテーブルを示す図である。図１１に示すように、初期の点灯データＤ３のデータテーブルでは、各照明器具のＲＧＢに対応するチャネルＣＨが全てリセットされており、セル内が空欄になっている。なお、データが存在しないことを示すため、セル内を「空欄」とする代わりに数値「０」を代入してもよい
次に、点灯データＤ１、Ｄ２を用いて、点灯データＤ３のデータテーブルを生成する方法について説明する。
【００６１】
図１２は、照明システム１００の制御方法において、点灯データＤ３を生成するフローを示す図である。なお、図１２では、１番目からｎ番目までのフレームを順に作成する例を示す。ｎは全フレームの数であり、４以上の整数である。
【００６２】
まず、ｋ（１以上ｎ以下の整数）番目のフレームとして、１番目のフレームの作成を開始する（Ｓ２１）。
【００６３】
そして、この１番目のフレームにおいて、照明器具１〜１２ごとにデータの作成を開始する（Ｓ２２）。このフレームのデータは、データ生成装置３０の記憶部５３に記憶されているプログラムを点灯制御部５２にて実行することで生成される。
【００６４】
点灯制御部５２は、入力された点灯データＤ２を参照し、照明器具１の各ＲＧＢに対応するセル内に、点灯データＤ２のデータ、すなわち数値が存在するか否かを判断する（Ｓ２３）。
【００６５】
当該セル内に点灯データＤ２の数値が存在する場合（Ｓ２３にてＹ）、点灯データＤ２の数値を点灯データＤ３のデータテーブルに書き込む。具体的には、図１０に示す点灯データＤ２の数値を、点灯データＤ２のセルに対応する図１１のデータテーブルのセルに書き込む（Ｓ２４）。書き込みを終えると、次のステップＳ２７に進む。
【００６６】
一方、点灯データＤ２の数値が存在しない場合（Ｓ２３にてＮ）、照明器具１の各ＲＧＢに対応するセル内に、点灯データＤ２よりも優先度が低い点灯データＤ１のデータ（数値）が存在するか否かを判断する（Ｓ２５）。
【００６７】
当該セル内に点灯データＤ１の数値が存在する場合（Ｓ２５にてＹ）、点灯データＤ１の数値を点灯データＤ３のデータテーブルに書き込む。具体的には、図９に示す点灯データＤ１の数値を、点灯データＤ１のセルに対応する図１１のデータテーブルのセルに書き込む（Ｓ２６）。書き込みを終えると、次のステップＳ２７に進む。なお、当該セル内に点灯データＤ１の数値が存在しない場合（Ｓ２５にてＮ）は、次のステップＳ２７に進む。
【００６８】
ステップＳ２７では、全ての照明器具１〜１２について、データ（数値）の書き込みを終えたか否かを判断する（Ｓ２７）。全ての照明器具１〜１２についてデータの書き込みを終了していない場合（Ｓ２７にてＮ）、ステップＳ２２に戻り、照明器具１と異なる次の照明器具（例えば照明器具２）についてデータを作成する。
【００６９】
図１３は、点灯データＤ３を生成する途中のデータテーブルを示す図である。図１３では、照明器具１および２に対応するセル内にデータが書き込まれた例が示されている。
【００７０】
全ての照明器具１〜１２についてこれらのステップＳ２３〜Ｓ２６が終了すると、次のステップＳ２８に進む。
【００７１】
ステップＳ２８では、全フレーム１〜ｎについて、データを作成したか否かを判断する（Ｓ２８）。全フレーム１〜ｎについてデータの作成を終了していない場合（Ｓ２７のＮ）、ステップＳ２１に戻り、フレーム１と異なる次のフレーム（例えばフレーム２）について、データを作成する。
【００７２】
図１４は、点灯データＤ３を生成する途中のデータテーブルを示す図である。図１４では、フレーム１および２についてデータが書き込まれた例が示されている。
【００７３】
これらを繰り返し全フレーム１〜ｎについてのデータの作成を終えることで、点灯データＤ３の生成を完了する。図１５は、点灯データＤ３を生成した後のデータテーブルを示す図である。
【００７４】
これらＳ２１〜Ｓ２８によって生成した点灯データＤ３を照明コントローラ５０に転送することで、照明コントローラ５０を用いて複数の照明器具１〜１２を点灯制御することが可能となる。
【００７５】
［４．効果等］
本実施の形態に係る照明システム１００の制御方法は、複数の照明器具１〜１２と、複数の照明器具１〜１２を点灯制御する照明コントローラ５０とを備える照明システム１００の制御方法であって、複数の照明器具１〜１２を点灯させるための情報を含む第１の点灯データＤ１、および、複数の照明器具１〜１２を点灯させるための情報であって第１の点灯データＤ１と異なる情報を含む第２の点灯データＤ２を生成する第１ステップと、第１の点灯データＤ１よりも第２の点灯データＤ２を優先して、第１の点灯データＤ１と第２の点灯データＤ２とを合成することで、合成された点灯データＤ３を生成する第２ステップと、合成された点灯データＤ３を照明コントローラ５０に記憶させる第３ステップと、照明コントローラ５０が、第３ステップにて記憶された点灯データＤ３に基づいて、複数の照明器具１〜１２を点灯制御する第４ステップと、を含む。
【００７６】
例えば、従来の照明装置では、照明装置を複数用いる場合に、それぞれの照明装置が点灯データを合成して生成する必要があり、各照明器具のデータ処理の負担が大きくなる。それに対し、本実施の形態の照明システム１００の制御方法では、照明コントローラ５０に記憶された点灯データＤ３に基づいて複数の照明器具１〜１２を点灯制御するので、複数の照明器具１〜１２の点灯制御を簡易に行うことができる。
【００７７】
また従来の照明装置では、照明装置を複数用いる場合に、照明装置ごとに点灯データの優先度を設定する必要があり、点灯データを設定する作業に手間を有する。それに対し、本実施の形態の照明システム１００の制御方法では、照明コントローラ５０の外部にて点灯データＤ１、Ｄ２を合成し、その合成された点灯データＤ３に基づいて複数の照明器具１〜１２を点灯制御するので、複数の照明器具１〜１２の点灯制御を簡易に行うことができる。
【００７８】
また、本実施の形態の照明システム１００の制御方法において、第２の点灯データＤ２は、複数の照明器具１〜１２のうちの一部の照明器具（例えば照明器具２、３、６、７、１０、１１）を点灯させるための情報を含み、第２ステップにおいて、上記一部の照明器具に対応する第２の点灯データＤ２を、上記一部の照明器具に対応する第１の点灯データＤ１に上書きすることで、合成された点灯データＤ３を生成してもよい。
【００７９】
このように、一部の照明器具に関する第２の点灯データＤ２を第１の点灯データＤ１に上書きし、合成された点灯データＤ３を生成することで、複数の照明器具１〜１２を点灯制御するための点灯データＤ３を簡易に生成することができる。
【００８０】
また、第１の点灯データＤ１、第２の点灯データＤ２および合成された点灯データＤ３のそれぞれは、照明器具１〜１２から出射される光の色、明るさ、および、光を出射する順番に関する情報を含んでいてもよい。
【００８１】
これによれば、第１の点灯データＤ１および第２の点灯データＤ２を使って、合成された点灯データＤ３を簡易に生成し、また、合成された点灯データＤ３を用いて照明コントローラ５０による照明器具１〜１２の点灯制御を簡易に行うことができる。
【００８２】
また、第４ステップにおいて、照明コントローラ５０は、合成された点灯データＤ３に基づく点灯を、光を出射する順番どおりに所定の時間間隔で複数の照明器具１〜１２に実行させてもよい。
【００８３】
これによれば、複数の照明器具１〜１２から照射される光を用いて、動きのある多彩な演出を行うことができる。
【００８４】
また、複数の照明器具１〜１２のそれぞれは、複数の発光素子Ｌ１〜Ｌ３を有し、複数の発光素子Ｌ１〜Ｌ３の少なくとも１つから出射された光が合成されることで形成される無地の光を照射してもよい。
【００８５】
これによれば、複数の照明器具１〜１２から照射される光を用いて、多彩な演出を簡易に行うことができる。
【００８６】
また、照明システム１００は、さらに、第１の点灯データＤ１、第２の点灯データＤ２および合成された点灯データＤ３を生成するデータ生成装置３０を備え、データ生成装置３０は、上記第１ステップおよび上記第２ステップを実行してもよい。
【００８７】
これによれば、データ生成装置３０を用いて第１の点灯データＤ１と第２の点灯データＤ２とを合成することができるので、合成された点灯データＤ３を簡易に生成することができる。また、データ生成装置３０を用いて、例えば、合成された点灯データＤ３に基づく点灯を模擬的に確認することが可能となる。
【００８８】
本実施の形態に係る照明システム１００は、複数の照明器具１〜１２と、複数の照明器具１〜１２を点灯制御する照明コントローラ５０とを備える照明システム１００である。照明コントローラ５０は、複数の照明器具１〜１２を点灯させるための情報を含む第１の点灯データＤ１、および、複数の照明器具１〜１２を点灯させるための情報であって第１の点灯データＤ１と異なる情報を含む第２の点灯データＤ２を、第１の点灯データＤ１よりも第２の点灯データＤ２を優先して合成することで生成された点灯データＤ３を記憶する記憶部５３と、記憶部５３に記憶された当該点灯データＤ３に基づいて、複数の照明器具１〜１２を点灯制御する点灯制御部５２と、を備える。
【００８９】
例えば、従来の照明装置では、照明装置を複数用いる場合に、それぞれの照明装置が点灯データを合成して生成する必要があり、各照明器具のデータ処理の負担が大きくなる。それに対し、本実施の形態の照明システム１００では、照明コントローラ５０に記憶された点灯データＤ３に基づいて複数の照明器具１〜１２を点灯制御するので、複数の照明器具１〜１２の点灯制御を簡易に行うことができる。
【００９０】
また従来の照明装置では、照明装置を複数用いる場合に、照明装置ごとに点灯データの優先度を設定する必要があり、点灯データを設定する作業に手間を有する。それに対し、本実施の形態の照明システム１００では、照明コントローラ５０の外部にて点灯データＤ１、Ｄ２を合成し、その合成された点灯データＤ３に基づいて複数の照明器具１〜１２を点灯制御するので、複数の照明器具１〜１２の点灯制御を簡易に行うことができる。
【００９１】
また、本実施の形態の照明システム１００は、複数の照明器具１〜１２を備えているので、１台の照明装置に比べて、広い面積に光を照射することができる。
【００９２】
（その他の形態）
以上、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００９３】
実施の形態では、データ生成装置３０に入力するデータとして２つの点灯データＤ１、点灯データＤ２を例に挙げて説明したが、入力される点灯データの数はこれに限られない。例えば、３以上の点灯データを入力する形態であっても、３以上の点灯データのうちの２つの点灯データが、本実施の形態に示す点灯データＤ１、Ｄ２の関係を有していれば、３以上の点灯データを入力する形態も本実施の形態に含まれる。
【００９４】
例えば、図６の場面において、第２の点灯データＤ２を同じ形状を保ちながら移動させているが、それに限られず、移動させる際に形状を変えて移動させてもよい。
【００９５】
例えば、図１４ではデータテーブルのうちの１つ目のフレームのセルを埋めてから２つ目のフレームのセルを埋めることで点灯データＤ３を生成する例を示したが、それに限られず、１台目の照明器具のセルを埋めてから２台目の照明器具のセルを埋めることで点灯データＤ３を生成してもよい。
【００９６】
また、図２に示す照明システム１００では、データ生成装置３０および照明コントローラ５０は外観から見て接続されていない状態にあるが、それに限られず、例えば、データ生成装置３０および照明コントローラ５０が互いに接続された状態で光の演出が行われてもよい。
【００９７】
なお、実施の形態に係る照明器具１〜１２は、ＬＥＤ投光器に限られず、発光型ＬＥＤ照明器具であってもよい。また、各照明器具１〜１２は、発光素子が１つで、単色の光を出射する照明器具であってもよい。単色の光を出射する場合であっても、出射される光の明暗によって光の演出をすることが可能である。
【００９８】
また、図２に示す照明コントローラ５０では、記憶部５３が照明コントローラ本体に内蔵されているが、それに限られず、記憶部５３は、外付けハードディスク等による記憶装置によって構成されていてもよい。
【符号の説明】
【００９９】
１、２、３、４、５、６、７、８、９、１０、１１、１２  照明器具
３０  データ生成装置
５０  照明コントローラ
５２  点灯制御部
５３  記憶部
１００  照明システム
Ｄ１、Ｄ２、Ｄ３  点灯データ
Ｌ１、Ｌ２、Ｌ３  発光素子
【図１Ａ】
2019145333.tif 000003
【図１Ｂ】
2019145333.tif 000004
【図２】
2019145333.tif 000005
【図３】
2019145333.tif 000006
【図４】
2019145333.tif 000007
【図５】
2019145333.tif 000008
【図６】
2019145333.tif 000009
【図７】
2019145333.tif 000010
【図８】
2019145333.tif 000011
【図９】
2019145333.tif 000012
【図１０】
2019145333.tif 000013
【図１１】
2019145333.tif 000014
【図１２】
2019145333.tif 000015
【図１３】
2019145333.tif 000016
【図１４】
2019145333.tif 000017
【図１５】
2019145333.tif 000018